(57)【特許請求の範囲】
【請求項１】
リール脚を保持するフードを備えるシートベースにリール脚載置部を備えるとともに、前記シートベースに、前記リール脚載置部の左右両側方に位置し径方向外方に突出する一対の突出面部と、前記シートベースの軸芯を挾んで前記リール脚載置部の存在側とは反対側に位置する指当て周部とを形成し、前記左右の突出面部における突出端を前記フードの外周面より径方向外側にまで突出させ、前記左右の突出面部と前記指当て周部との間に、径方向外向きに膨出する膨出面部を配置して、前記突出面部から前記膨出面部を介して前記指当て周部に亘る範囲で連続曲面を形成し、前記シートベース内に挿通されるブランクを前記シートベースの軸芯より前記指当て周部側に偏芯した状態で設けてあるリールシート。
【請求項２】
前記リール脚載置部と前記突出面部との間に、前記リール脚載置部の横側端と前記突出面部とを結ぶ傾斜面部を形成してある請求項１記載のリールシート。
【請求項３】
請求項１又は２記載のリールシートを備えた釣り竿。
【発明の詳細な説明】
【技術分野】
【０００１】
本発明は、リール脚を保持するフードを備えるシートベースに、リール脚載置部を形成するリールシート及びリールシート付き釣り竿に関する。
【背景技術】
【０００２】
シートベースにおけるリール脚載置部を形成しているブランクに外嵌されている部分の外形は、略円弧状に形成され、リール脚を保持する固定フードや可動フードに比べてやや小径のものに形成されている（特許文献１）。
【特許文献１】特許第３１６０２６７号（段落〔００１１〕，図１、３、４）
【発明の開示】
【発明が解決しようとする課題】
【０００３】
一般に、両軸受リールは、左右中心位置に前後に長い板状のリール脚を設け、そのリール脚の上方に横向き軸芯周りで回転するスプールを配置し、このスプールを左右一対のケース部内で支持して、構成されている。
以上のような構成になる両軸受リールを釣り竿のリールシートに取付けた場合には、リールシートの両横側方に両軸受リールの左右一対のケース部が位置することとなる。
釣操作を行う場合には、釣り人は、一方の手の親指を両軸受リールのケース部の上面に載置するとともに、親指以外の４本指をケース部の側面にあてがいながら指先を下方まで延出し、指先を、ブランクを覆うシートベースの下面を迂回する状態に位置させる握り形態を採ることが通常である。
【０００４】
このように、指先を、ブランクを覆うシートベースの下面を迂回する状態に位置させる握り形態を採る場合には、手指は、ケース部の側面に接触し、ケース部の側面の下端を離れた指先は、シートベースの下面を迂回する状態にその下面に接触する。
この場合に、シートベースの断面形状がフードの外径より小径に構成されているので、ケース部の側面の下端とシートベースとの間隔が大きく、かつ、シートベース下面が小径であるので、ケース部の側面の下端を離れた指先はケース部の側面に沿った状態から屈折度を大きくしてシートベース下面に向かい、その指先の先端部分をシートベースの下面に当てがう状態となる。
したがって、両軸受リールとリールシートとを伴握りして、仕掛けの投入及び巻き上げを行うが、両軸受リールとリールシートとを伴握りする状態が手指を大きく屈折させる不自然なものとなっているので、握ることに対する負担が大きく、改善が必要であった。
【０００５】
本発明の目的は、リールシートにおけるリール脚載置部を形成している部分及び竿軸芯を挟んでリール脚載置部とは反対側に位置する部分の形状に変更を加えて、両軸受リールとリールシートとを伴握りする手指の負担を軽減しながら、両軸受リールのケース部とリールシートの干渉を回避することのできるリールシートを提供する点にある。
【課題を解決するための手段】
【０００６】
〔構成〕
本第１発明の特徴構成は、リール脚を保持するフードを備えるシートベースにリール脚載置部を備えるとともに、前記シートベースに、前記リール脚載置部の左右両側方に位置し径方向外方に突出する一対の突出面部と、前記シートベースの軸芯を挾んで前記リール脚載置部の存在側とは反対側に位置する指当て周部とを形成し、前記左右の突出面部における突出端を前記フードの外周面より径方向外側にまで突出させ、前記左右の突出面部と前記指当て周部との間に、径方向外向きに膨出する膨出面部を配置して、前記突出面部から前記膨出面部を介して前記指当て周部に亘る範囲で連続曲面を形成し、前記シートベース内に挿通されるブランクを前記シートベースの軸芯より前記指当て周部側に偏芯した状態で設けてある点にあり、その作用効果は次の通りである。
【０００７】
〔作用〕
シートベースにおけるリール脚載置部の両側方に左右の突出面部を形成している。この左右の突出面部は突出端をフードの外周面よりも径方向外方に突出する状態に形成してあるので、両軸受リールをリール脚載置部に取り付けた状態で、両軸受リールの両サイドに位置するケース部に、左右の突出面部の突出端を近接させることができる。
【０００８】
これに加えて、前記左右の突出面部と、竿軸芯を挟んで前記リール脚載置部存在側とは反対側に位置する指当て周部とに亘って、径方向外向きに膨出する膨出面部を配置した。前記突出面部から前記膨出面部を介して前記指当て周部に亘る範囲で連続した曲面を形成してあるので、ケース部の側面から突出面部、膨出面部を介して前記指当て周部に至る連続する面を想定することができ、手指が強く圧迫される角部の存在をなくして、自然な手指の状態でシートベース部分を握ることができる。
突出面部と指当て周部との間に膨出面部を形成しているので、突出面部と指当て周部だけで連続した曲面を形成する場合に比べて、凹部状の手の掌に適合した曲面を作成しやすい。
【０００９】
したがって、両軸受リールのケース部の側面にあてがった手の掌から下方に延出された手指部分は、ケース部の下端から突出面部にあてがうのに、ケース部の側面にあてがった姿勢から大きく屈折させることなく延出させるだけで、突出面部にあてがうことが可能である。
そして、その突出面部にあてがった手指の指先は、連続曲面として形成された膨出面部から前記指当て周部に沿ってあてがわれるので、握る際の痛みや圧迫感を感じることが少ない。
【００１０】
上記作用に加えて、次ぎのような作用も奏する。前記シートベース内に挿通されるブランクを前記シートベースの軸芯より前記指当て周部側に偏芯した状態で設けてある。
これによって、ブランクを前記シートベースの軸芯より前記指当て周部側に偏芯して設けた分だけ、リール脚載置部をリールシートの軸芯に近づけて配置でき、リール脚載置部に取付られるリール上端面とリールシートの上端面との間隔を小さくでき、リールシートとリールを伴握りする手指の負担を軽くすることができる。
【００１１】
〔効果〕
シートベースにフードの外周面より突出する突出面部を形成する点と、その突出面部と前記指当て周部とを連続曲面に形成する二点とによって、両軸受リールのケース部から前記指当て周部にあてがう手指の姿勢を自然に近いものとできる。このことによって、安定した握りが可能になり、仕掛けの投入、巻き上げを長時間に亘って安定して行うことができるようになった。
しかも、前記ケース部との干渉を回避する状態で突出面部を十分突出する状態に設けることができるので、指当て周部に回した手指の載置状態を安定したものにできる良さを損なわせることはない。
【００１２】
〔構成〕
本第２発明の特徴構成は、前記リール脚載置部と前記突出面部との間に、前記リール脚載置部の横側端と前記突出面部とを結ぶ傾斜面部を形成してある点にあり、その作用効果は次の通りである。
【００１３】
〔作用効果〕
上記したように、突出面部を形成することによって、突出端が両軸受リールのケース部に近接する状態となるために、大型の両軸受リールを装着した場合に、ケース部と突出端とが干渉する事態が考えられる。
そこで、上記したように、傾斜面部を形成することによって、ケース部との干渉を回避しながら、手指の載置状態を安定させるべく、突出面部を十分横側方に張り出した状態に形成できる。
【００１４】
そして、傾斜部を設けることによって、リールのケース部との干渉を回避できるので、リール脚載置部もリールシートの軸芯に近接する状態に形成できる。このことによって、リールシートの上端面とリール脚載置部に載置されたリール上端面との間隔を十分小さなものにでき、リールとリールシートとを伴握る際に容易に握ることができる。
【００１５】
〔構成〕
本第３発明の特徴構成は、請求項１又は２記載のリールシートを備えた釣り竿を提供する点にあり、その作用効果は次の通りである。
【００１６】
〔作用効果〕
請求項１又は２に対応する作用効果の項で記載した握り易く、装着リールの仕様範囲を広くして兼用化の高いリールシートを装着した釣り竿においては、仕掛けの投入及び巻き上げ操作を容易迅速に行うことができ、仕掛けの投入巻き上げを頻繁に繰り返す釣りに使用される釣り竿を提供できるに至った。
【発明を実施するための最良の形態】
【００１７】
船釣りに使用される釣り竿Ａについて説明する。図１及び図６に示すように、釣り竿Ａは、筒状細径のブランク１にフロントグリップ２を装着し、フロンドグリップ２の竿尻側にリールシート３を取り付け、リールシート３の竿尻側にリアグリップ４を取り付けて構成してある。
【００１８】
リールシート３の構造について説明する。リールシート３は、竿尻側（元側）に配置した固定フード５、その固定フード５及びトリガー６を一体に形成したシートベース７、シートベース７の竿先端部（先側）に形成したネジ部７Ａに螺合するナット部材８と、そのナット部材８によって駆動移動される可動フード１０とを装備して、構成してある。
【００１９】
シートベース７について説明する。図１及び図２に示すように、シートベース７は、竿先側に形成したネジ部７Ａから竿尻側に掛けて筒状体を基本とした構成を採っており、竿尻側に固定フード５及びその下方にトリガー６を延出して構成してある。
シートベース７は、ＡＢＳ樹脂、ナイロン、ポリカーボネート等の合成樹脂を射出成形して、製造される。
【００２０】
シートベース７における可動フード１０の装着部位と固定フード５との間には、リール脚取付部が形成してある。リール脚取付部においては、可動フード１０に近い側に円形外周面部７Ｂを設けてあり、円形外周面部７Ｂの竿尻側にリール脚Ｒａを載置する平面状のリール脚載置部７Ｃを設けてある。
【００２１】
リール脚載置部７Ｃは、軸線方向において一定の長さを有しているが、軸線方向に直交する左右方向では、後記する円周面部７Ｈを挾んで両側に平坦面部を形成しており、前記平坦面部は軸線方向での竿先側端（先側端）と竿尻側端（元側端）とが広い幅Ｗでかつ中間位置が狭い幅ｗに設定されている。
上記のような構成を採るのは、小型の両軸受リールＲであってスプールの両側方に配置される両ケース部Ｒｂの間隔が小さなものであっても、両ケース部Ｒｂを狭い幅ｗの両側方に位置させて、両軸受けリールＲを取り付けることができるようにするためである。
【００２２】
つまり、図１及び図２に示すように、リール脚載置部７Ｃの横側方下方に、下端側ほど横外側に広がる傾斜面部７Ｄを形成する。この傾斜面部７Ｄの上端とリール脚載置部７Ｃの横側端との接続部位に形成される二本の境界線Ｄが、平面視で、リール脚載置部７Ｃの竿先側端と竿尻側端との中間に位置するほど、竿軸線Ｘに対して近接する曲線に形成してある。
【００２３】
これによって、二本の境界線Ｄが最も近接する位置で、リール脚載置部７Ｃの横側端同士の間隔が小さくなるので、両軸受リールＲのケース部Ｒｂと突出面部及び傾斜面部７Ｄとの干渉を回避して、小型の両軸受リールＲであっても装着可能である。
【００２４】
図２及び図６に示すように、リール脚載置部７Ｃの左右幅方向の中間位置には円周面部７Ｈが形成してあり、この円周面部７Ｈはリール脚載置部７Ｃの左右側方部分に形成された平坦部より若干盛り上がった円弧状態に形成されている。この円周面部７Ｈは円形外周面部７Ｂと同一周面上にあり、リール脚Ｒａの裏面側に設けられている湾曲状態に沿うべく構成してある。円周面部７Ｈの中ほどには、平面視で長方形状の浅い凹部７ｂが形成されており、リール脚Ｒａの裏面との接触面積の低減化を図っている。これによって、リール脚Ｒａの裏面と円周面部７Ｈでの接触が良好になり、リールＲの載置状態が安定する。
【００２５】
リール脚載置部７Ｃの周辺部分について説明する。図１及び図２,図６に示すように、シートベース部分においては、上面にリール脚載置部７Ｃを備えており、リール脚載置部７Ｃの左右両端から下向きに左右の前記した傾斜面部７Ｄを設けてある。この傾斜面部７Ｄは、下側程左右に広がる傾斜状態を呈している。
【００２６】
図５に示すように、傾斜面部７Ｄの下端位置には、横側方に突出する左右の突出面部７Ｅを形成してある。傾斜面部７Ｄの下端と突出面部７Ｅの上端との接続部分が、固定フード５の外周面より横側方に突出させてあり、この横側方に突出した部分を、左右の突出面部７Ｅにおける突出端７ａという。左右の突出面部７Ｅと、竿軸芯Ｘを挟んで前記リール脚載置部存在側とは反対側に位置する指当て周部７Ｇとに亘って、径方向外向きに膨出する膨出面部７Ｆを配置して、突出面部７Ｅから膨出面部７Ｆを介して指当て周部７Ｇに亘る範囲で連続曲面を形成してある。
【００２７】
以上のような構成を採るのは、次ぎのような理由による。つまり、両軸受けリールＲを握った釣り人の指がシートベース部分を握り易くするためである。図５に示すように、リール脚Ｒａをリール脚載置部７Ｃに載置して両軸受リールＲを取り付けた場合に、両側に位置するケース部Ｒｂの下端から指当て周部７Ｇに指を回していく際に、指で安定して握り易いように、丸みを帯びた曲面を形成してある。
【００２８】
さらに詳しく説明すると、シートベースにおけるリール脚載置部７Ｃを形成している部分に左右の突出面部７Ｅを形成している。この左右の突出面部７Ｅは突出端７ａが固定フード５の外周面よりも横側方に突出する状態にあるので、両軸受リールＲをリール脚載置部７Ｃに取り付けた状態で、両軸受リールＲの両側部に位置するケース部Ｒｂの下端に、左右の突出面部７Ｅの突出端７ａを近接させることができる。
【００２９】
これに加えて、左右の突出面部７Ｅと、竿軸芯Ｘを挟んで前記リール脚載置部存在側とは反対側に位置する指当て周部７Ｇとに間に、径方向外向きに膨出する膨出面部７Ｆを配置して、突出面部７Ｅから膨出面部７Ｆを介して指当て周部７Ｇに亘る範囲で連続した曲面を形成してあるので、ケース部Ｒｂの側面から突出面部７Ｅ、膨出面部７Ｆを介して指当て周部７Ｇに至る連続する面を想定することができ、手指が強く圧迫される角部の存在をなくして、自然な手指の状態でシートベース部分を握ることができる。
【００３０】
したがって、両軸受リールＲのケース部Ｒｂの側面にあてがった手の掌から下方に延出された手指部分は、ケース部Ｒｂの下端から突出面部７Ｅにあてがうのに、ケース部Ｒｂの側面にあてがった姿勢から大きく屈折させることなく延出させるだけで、突出面部７Ｅにあてがうことが可能である。
そして、その突出面部７Ｅにあてがった手指の指先は、連続曲面として形成された膨出面部７Ｆから指当て周部７Ｇに沿ってあてがわれるので、握る際の痛みや圧迫感を感じることが少ない。
【００３１】
図１及び図２に示すように、突出面部７Ｅの上端と傾斜面部７Ｄとの接続部位が左右に突出する突出端７ａとなっている点に言及したが、この突出端７ａは竿軸線方向において所定長さに亘って形成されている。
【００３２】
つまり、突出面部７Ｅと傾斜面部７Ｄとは、竿の軸線方向に沿った所定長さで形成されており、突出面部７Ｅの上端と傾斜面部７Ｄの下端との接続部位も竿軸線方向に沿って一定の線分を形成している。この線分が前記した突出端７ａを連ねた突出端線Ｅを形成する。突出端線Ｅは、平面視において、竿軸線方向での中間部ほど横外側に膨出する湾曲形状に形成してある。これによって、トリガー６の前面に接させる中指等が突出端線Ｅの中膨れ頂点部位に接触して、竿先側への移動が規制され、握りが安定するものとなる。
【００３３】
図３及び図４に示すように、リアグリップ４におけるブランク１の取付位置は、リアグリップ４の竿軸線Ｘに対して下側に偏芯した位置に形成されている。それを受けて、固定フード５、及び、シートベース７においても、竿軸線Ｘに対して偏芯した位置にある。
このように、ブランク１の挿通位置が下側に偏芯した位置にあるので、つぎのようなことが言える。
【００３４】
ここでは、比較のために、リアグリップ４の軸線位置にブランク１を挿通したものを、図４（ロ）に記載する。まず、図４（イ）に示すように、リアグリップ４及びシートベース７において、共通の竿軸線Ｘに対してリール脚載置部７Ｃとは反対側に偏芯した状態でブランク１が存在する。ブランク１は偏芯した軸線Ｙに沿って配置してある。
【００３５】
図４（イ）に示すように、リール脚載置部７ＣにリールＲを載置し、固定フード５の外周面からリールＲの上端位置までの間隔をＬ１とする。これに対して、図４（ロ）に示すように、ブランク１が固定フード５の軸線Ｘと一致した軸芯上に配置してある場合に、リール脚載置部７ＣにリールＲを載置し、固定フード５の外周面からリールＲの上端位置までの間隔をＬ２とする。
【００３６】
上記した場合において、ブランク１の取付位置がリアグリップ４及び固定フード５の軸線Ｘから偏芯した位置でかつリール脚載置部７Ｃから離れる方向に偏芯しているので、リール脚載置部７Ｃがリアグリップ４及び固定フード５の軸線Ｘに近接する方向に形成されることとなり、上記したように、リールＲの上端位置とリアグリップ４の外周面との間隔Ｌ１が、ブランク１がリアグリップ４の軸線Ｘと一致した軸芯上に配置してある場合の前記間隔Ｌ２より短くなっている。
【００３７】
前記したように、リールＲの上端位置と固定フード５の外周面との間隔Ｌ１が小さくなっているので、握り易い構造となっている。例えば、親指をリールＲの上端面にあてがい、リールＲの一側面を覆うよう手指をあてがいシートベース７の下方に手指を回して、中指と薬指とでトリガー９を挟み込む状態でリールＲとシートベース７とを伴握りして、仕掛けのキャスティングやリーリングを行う。このように、キャスティングやリーリングの際に、リールＲが握り易くなっているので、リールＲを保持する負担が軽減されて、手に痛みを感ずることが少ない。
【００３８】
可動フード１０について説明する。図６（イ）（ロ）に示すように、可動フード１０は、シートベース７に外嵌される３／４円筒状のフード本体部１０Ａと、そのフード本体部１０Ａの上方に位置しリール脚Ｒａを保持するリール脚保持部１０Ｂとを一体で構成してある。
フード本体部１０Ａの内周面に突設されている突条１０ｃは、図示してはいないが、シートベース７のネジ部７Ａに形成したガイド溝に係合することによって、可動フード１０がシートベース７の軸線方向に沿ってスライド移動することを可能とさせている。
【００３９】
リール脚保持部１０Ｂは、内部空間内にリール脚Ｒａを内装して保持する保持機構を有しており、保持機構はリール脚Ｒａの両側端ａを挾持する挾持部とリール脚Ｒａの上面を保持する天井保持部１０ｂとを備えている。
天井保持部１０ｂは内部空間の奥側ほど、天井面が低くなる傾斜面に形成されている。
【００４０】
挾持部の構成について説明する。図６及び図７（イ）に示すように、挾持部は、可動フード１０のリール脚挿入用入口部分から僅かに内向きに傾斜する導入部１０ｄを所定長さだけ設け、その導入部１０ｄの奥側に急傾斜度の保持傾斜面部１０ａ、１０ａを設け、更に、奥側に導入部１０ｄと同様の傾斜度を呈する奥側孔部１０ｅを配して、構成してある。
保持傾斜面部１０ａ、１０ａは、内部空間の奥側ほど両側壁に形成された保持傾斜面部１０ａ、１０ａの間隔が狭くなるように、大きな傾斜の傾斜面に構成されており、リール脚Ｒａの長さや幅が異なるリール脚Ｒａに対しても取付固定できるように構成してある。
【００４１】
保持傾斜面部１０ａの傾斜角度θは角度が急なものに設定してある。この傾斜角度θは、５°から１５°の範囲に設定されている。これによって、次ぎのようなことが言える。
ここで、比較の対象になる可動フード１０の形状は次ぎのようになっている。つまり、図７（ロ）に示すように、入口部から奥壁まで、一定の傾斜度を呈する保持傾斜面部１０ａが形成されている。
【００４２】
ここで、緩やかな傾斜角度θ２を呈する従来のものと、急な傾斜角度θ１を呈する本願発明のものとの違いを説明すると、図７（イ）で示す傾斜角度θ１が急な場合においては、幅Ｐ１の狭い脚部Ｒａ１は奥側の位置ｃで挾持保持されるが、幅Ｐ２の広い脚部Ｒａ２は位置ｃより入口側に近い方の位置ｄで挾持保持される。図７（ロ）で示す傾斜角度θ２が緩やかな場合においては、幅Ｐ１の狭い脚部Ｒａ１は奥側の位置ｅで挾持保持されるが、幅Ｐ２の広い脚部Ｒａ２は位置ｅより入口側に近い方の位置ｆで挾持保持される。
【００４３】
図７（イ）の場合と図７（ロ）の場合とを比べてみると、図７（イ）の場合の方がリール脚Ｒａの幅の違いによる保持位置の変動が少ない。このことは、リール脚Ｒａ等の仕様が異なるリールＲであっても、可動フード１０での保持位置の変動が少ないと言える。
【００４４】
つまり、本願発明においては、保持傾斜面部１０ａの傾斜角度θを急なものとしてあるので、仕様の異なるリールＲを装着した場合にも、リールＲの取付位置の変動が少なく、釣り竿を支持する場合の持ち重り感や、リールＲから穂先竿先端までの重量と、リールＲから元竿の竿尻端までの重量とのバランスが変動することを少なくでき、操作し易い釣り竿を提供できるに至った。
【００４５】
〔他の実施例〕
（１）突出面部７Ｅの突出端７ａ位置を竿軸線方向に結ぶ突出端線Ｅの形状としては、中膨れ状ではなく直線状に形成してもよい。
（２）傾斜面部７Ｄについては、設けなくてもよい。
（３）可動フード１０におけるリール脚Ｒａを挾持保持する保持傾斜面部１０ａの傾斜角度θは緩やかなものであってもよい。
（４）リール脚取付部としては、リール脚載置部７Ｃの間に円弧状に盛り上がる円周面部７Ｈを特に設ける必要はなく、全体が平坦面のリール脚載置部７Ｃとして構成してもよい。
（５）リールを支持する形態としては、一対の可動フード１０で行っても良く、両軸受けリールＲに適合するものであれば、固定フード５は使用する必要はない。
（６）トリガー６としては、無くてもよい。
【図面の簡単な説明】
【００４６】
【図１】リールシートを釣り竿に取り付けた状態を示す側面図
【図２】リールシートを釣り竿に取り付けた状態を示す平面図
【図３】（イ）固定フードとトリガーとを示す縦断正面図、（ロ）固定フードとトリガーとを示す側面図
【図４】（イ）リールを取り付けた固定フードとトリガーとを示し、ブランクをリールシートの軸線に対して偏芯させた状態で取り付けている場合を示す側面図、（ロ）リールを取り付けた固定フードとトリガーとを示し、ブランクをリールシートの軸線位置に一致させた状態で取り付けている場合を示す側面図
【図５】リールをリールシートに取り付けた状態を示す縦断正面図
【図６】（イ）可動フードを示す正面図、（ロ）可動フードのリール脚取付部を示す斜視図
【図７】（イ）可動フードにおけるリール脚保持部の傾斜度を大きくしたものに幅の異なるリール脚を挿入した状態を示す横断平面図、（ロ）可動フードにおけるリール脚保持部の傾斜度を小さくしたものに幅の異なるリール脚を挿入した状態を示す横断平面図
【図８】リールシートを示す斜視図
【符号の説明】
【００４７】
１              ブランク
５              固定フード（フード）
７              シートベース
７Ｃ            リール脚載置部
７Ｄ            傾斜面部
７Ｅ            突出面部
７Ｆ            膨出面部
７Ｇ            指当て周部
７ａ            突出端
１０            可動フード（フード）
Ｒａ            リール脚
【図１】
0004968790.tif 000002
【図２】
0004968790.tif 000003
【図３】
0004968790.tif 000004
【図４】
0004968790.tif 000005
【図５】
0004968790.tif 000006
【図６】
0004968790.tif 000007
【図７】
0004968790.tif 000008
【図８】
0004968790.tif 000009